(57)【要約】【課題】流し台のシンクの奥側または奥側隅部に設けた凹所に確実に設置できて洗浄時に邪魔にならず、被乾燥物の種類に関係なく安定性よく保持して確実に水切りが行えて、しかも衛生的である流し台用小物入れを提供する。【解決手段】流し台のシンクの奥側または奥側隅部に設けた凹所に配置される本体枠２（６）と、本体枠２を流し台に固定する取付手段４（９ａ，９ｂ），１０と、本体枠２に設けられ被乾燥物を水切り可能に保持する水切り用フック５（１１，１２）とを備えたものである。【選択図】　　　　図１
2004121807.tif 000002
【特許請求の範囲】
【請求項１】
流し台のシンクの奥側または奥側隅部に設けた凹所に配置される本体枠と、該本体枠を流し台に固定する取付手段と、前記本体枠に設けられ被乾燥物を水切り可能に保持する水切り用フックとを備えたことを特徴とする流し台用小物入れ。
【請求項２】
本体枠は、平面形状がシンクの奥側または奥側隅部に設けた凹所の底面とほぼ同形状であることを特徴とする請求項１記載の流し台用小物入れ。
【請求項３】
水切り用フックを本体枠の前面側に設けるとともに、取付手段を前記本体枠の側方側または背後側に設けたことを特徴とする請求項１または２記載の流し台用小物入れ。
【請求項４】
本体枠内を複数の収容部に仕切る仕切枠を備えたことを特徴とする請求項１乃至３のいずれかに記載の流し台用小物入れ。
【請求項５】
水切り用フックは、ほぼＬ字形に屈曲して上部側が前側に傾斜した前側片と、ほぼＬ字形に屈曲して高さが前記前側片より高く形成された後側片とを備え、前記前側片の立設部と後側片の立設部との間に被乾燥物の一部が挿入される小間隙を有するように形成したことを特徴とする請求項１乃至４のいずれかに記載の流し台用小物入れ。
【請求項６】
水切り用フックと本体枠の間に被乾燥物が設置可能な間隙を設けたことを特徴とする請求項１乃至５のいずれかに記載の流し台用小物入れ。
【請求項７】
水切り用フックは、高さ方向のほぼ中間部から上側が前側に傾斜し下側が前記本体枠の前面とほぼ同一平面上に位置するように立設された立設部を備え、該立設部と前記本体枠の前面側との間に被乾燥物の一部を挿入して保持することを特徴とする請求項１乃至３のいずれかに記載の流し台用小物入れ。
【請求項８】
水切り用フックは、本体枠の前面両側下部から延出されて上方に屈曲されかつ先端部が外方に傾斜した係止片を備え、該係止片が挿入された被乾燥物を凹所が設けられたシンクの内壁と前記本体枠の前面両側との間に保持することを特徴とする請求項１乃至３のいずれかに記載の流し台用小物入れ。
【請求項９】
本体枠および水切り用フックを線材により構成したことを特徴とする請求項１乃至８のいずれかに記載の流し台用小物入れ。
【発明の詳細な説明】
【０００１】
【発明の属する技術分野】
本発明は、流し台のシンクの奥側または奥側隅部に設けた凹所に設置され、食器類や鍋類の洗浄等に用いられるスポンジやたわし、台所用洗剤などの小物類が収容される流し台用小物入れに関するものである。
【０００２】
【従来の技術】
図１２は従来の流し台用小物入れの構成および作用説明図である。図において、３１はステンレスの線材からなる流し台用小物入れで、流し台１００のシンク１０１の蛇口１０２が設けられた側の内壁１０３側に形成され、前面側が開放された凹所１０４に設置される。そして、流し台用小物入れ３１は、平面形状が凹所１０４の底面１０５とほぼ同形状である本体枠３２と、本体枠３２内を仕切る仕切枠も兼ねた本体枠３２を支持する脚部３３とによって構成されている。
【０００３】
本体枠３２は、平面形状が凹所１０４の底面１０５とほぼ同形状で、凹所１０４内に収容される大きさになるように線材を屈曲させて環状に形成した上下一対の本体フレーム３４，３４と、本体フレーム３４，３４を所定の間隔で連結して補強する長さが所定の間隔とほぼ等しい複数の連結杆３５とからなり、連結杆３５は、本体枠３２の長手方向の側および設置時に凹所１０４の内壁１０６に対向する側（本体枠３２の背面側）において一対の本体フレーム３４，３４を連結している。
【０００４】
脚部３３は、側面形状がほぼ矩形状になるように線材を屈曲させて形成した一対の脚フレーム３６，３６からなり、本体枠３２の長手方向の側の近傍で脚フレーム３６，３６の高さ方向のほぼ中間部に本体枠３２が位置するようにそれぞれ接続されている。
【０００５】
このように構成された流し台用小物入れ３１は、その本体枠３２の平面形状がシンク１０１の凹所１０４の底面１０５の形状と同じになり、本体フレーム３４，３４が凹所１０４の内壁１０６に沿うように凹所１０４に設置する。そして、食器類や鍋等の洗浄等に使用されるスポンジ３７や台所用洗剤３８などの小物類を適当な収容部に収容する。このとき、流し台用小物入れ３１には底面がないため、凹所１０４の底面１０５が流し台用小物入れ３１の底面となり、小物類は凹所１０４の底面１０５に載置される。また、脚部３３によって本体枠３２内は仕切られているため、小物類は各収容部に整頓されて載置されるとともに、本体枠３２によって凹所１０４の底面１０５に載置されたスポンジ３７や台所用洗剤３８の転倒あるいは凹所１０４からの滑落が防止される（例えば、特許文献１参照）。
【０００６】
ところで、近年はゴミの資源化が盛んになり、一般家庭でも従来はゴミとして廃棄していた例えば牛乳パックなどの紙パック容器、ペットボトル、肉や魚がパックされたプラスチックトレー、缶およびビン等を分別回収するなど、資源の再利用化が進んでいる。
【０００７】
この分別回収を行うために、家庭では、紙パック容器、ペットボトル、プラスチックトレー、缶およびビン等を洗浄して乾燥させる作業がある。例えば紙パック容器は、多くの場合、注ぎ口のある上部を展開し、開口した上部から水を入れて洗う。洗浄後、水をよく切って逆さの状態にし、水切り篭やシンク１０１内に置いて紙パック容器の表面および内面についた水を切って乾燥させる。
【０００８】
しかしながら、紙パック容器は軽量なために逆さの状態を継続させることは難しくすぐに転倒してしまい、水切りができないことがあった。また、缶も同様であり、ペットボトルおよびビンは、注ぎ口が細くなっているため逆さの状態で倒立させておくことは難しく、水切りの作業は困難であった。
【０００９】
そこで、上記のような従来の流し台用小物入れ３１は、本体枠３２内が脚部３３によって仕切られて複数の収容部が形成されているため、その１つに逆さの状態の紙パック容器またはペットボトル等の被乾燥物を収容することが考えられるが、形成された収容部のスペースは限られているため、被乾燥物が大きいと倒立させた状態で設置できなかったり、被乾燥物は軽量なため、上述したように転倒してしまうおそれがあった。また、流し台用小物入れ３１は、シンク１０１の凹所１０４に置いた状態で設置しているため、ビンなどの重い被乾燥物を逆さで倒立させた状態で設置した場合、場合によっては被乾燥物の重さで流し台用小物入れ３１が凹所１０４からシンク１０１内に落下してしまい、被乾燥物が割れるなどのおそれもあった。
【００１０】
そこで、流し台用小物入れ３１の本体枠３２に被乾燥物の口を下にした倒立状態で保持可能な倒立容器保持手段を設けたものが提案されている（例えば、特許文献２参照）。
【００１１】
【特許文献１】
意匠登録第９５３４０４号公報
【特許文献２】
登録実用新案第３０６２０１５号公報（第１０〜１１頁、図１〜４）
【００１２】
【発明が解決しようとする課題】
上記のような従来の倒立容器保持手段付き流し用物入れは、倒立容器保持手段を例えば本体枠３２の長手方向の側および凹所１０４の内壁１０６側に設けると、本体フレーム３４，３４と凹所１０４の内壁１０６との間にスペースがないために被乾燥物を保持することができず、凹所１０４の内壁１０６のない側（前面側）に設けると、被乾燥物を保持することができるが、流し台用小物入れ３１はシンク１０１の凹所１０４に置いた状態で設置されているだけなので、ビンなどの重い被乾燥物を保持させた場合は、その重さで流し台用小物入れ３１が凹所１０４からシンク１０１内に落下してしまい、被乾燥物が割れるなどのおそれがあって、上記のような課題を解決するまでには至らなかった。
【００１３】
なお、特許文献２の倒立容器保持手段付き流し用物入れは、紙パック容器等の被乾燥物を安定性よく保持できる。しかしながら、ペットボトルはその肩部と倒立容器保持手段付き流し用物入れの本体とが干渉して保持することができないという問題があった。また、その本体の平面形状がシンク１０１の凹所１０４の底面１０５と同形状でないため、凹所１０４に設置することは難しく、凹所１０４に設置できたとしても、その長手方向の側に倒立容器保持手段が設けられているため、凹所１０４内で被乾燥物を保持するスペースが確保できないという問題があった。さらに、大きさの大きいプラスチックトレーを保持するには１つの倒立容器保持手段だけでは安定性よく保持することができないという問題もあった。
【００１４】
本発明は、上記のような課題を解決するためになされたもので、流し台のシンクの奥側または奥側隅部に設けた凹所に確実に設置できて洗浄時に邪魔にならず、被乾燥物の種類に関係なく安定性よく保持して確実に水切りが行えて、しかも衛生的である流し台用小物入れを提供することを目的としたものである。
【００１５】
【課題を解決するための手段】
本発明に係る流し台用小物入れは、流し台のシンクの奥側または奥側隅部に設けた凹所に配置される本体枠と、本体枠を流し台に固定する取付手段と、本体枠に設けられ被乾燥物を水切り可能に保持する水切り用フックとを備えたものである。
【００１６】
本発明に係る流し台用小物入れは、本体枠は、平面形状がシンクの奥側または奥側隅部に設けた凹所の底面とほぼ同形状としたものである。
【００１７】
本発明に係る流し台用小物入れは、水切り用フックを本体枠の前面側に設けるとともに、取付手段を本体枠の側方側または背後側に設けたものである。
【００１８】
本発明に係る流し台用小物入れは、本体枠内を複数の収容部に仕切る仕切枠を備えたものである。
【００１９】
本発明に係る流し台用小物入れの水切り用フックは、ほぼＬ字形に屈曲して上部側が前側に傾斜した前側片と、ほぼＬ字形に屈曲して高さが前側片より高く形成された後側片とを備え、前側片の立設部と後側片の立設部との間に被乾燥物の一部が挿入される小間隙を有するように形成したものである。
【００２０】
本発明に係る流し台用小物入れは、水切り用フックと本体枠の間に被乾燥物が設置可能な間隙を設けたものである。
【００２１】
本発明に係る流し台用小物入れの水切り用フックは、高さ方向のほぼ中間部から上側が前側に傾斜し下側が本体枠の前面側とほぼ同一平面上に位置するように立設された立設部を備え、立設部と本体枠の前面側との間に被乾燥物の一部を挿入して保持するものである。
【００２２】
本発明に係る流し台用小物入れはの水切り用フックは、本体枠の前面両側下部から延出されて上方に屈曲されかつ先端部が外方に傾斜した係止片を備え、係止片が挿入された被乾燥物を凹所が設けられたシンクの内壁と本体枠の前面両側との間に保持するものである。
【００２３】
本発明に係る流し台用小物入れは、本体枠および水切り用フックを線材により構成したものである。
【００２４】
【発明の実施の形態】
実施の形態１．
図１は本発明の実施の形態１の斜視図、図２はその平面図、図３はその右側面図である。図において、１はステンレスの如き金属材料の線材（例えば外径３ｍｍ程度）からなる流し台用小物入れで、図４に示すように、流し台１００のシンク１０１の蛇口が設けられた側（シンク１０１の奥側）の内壁１０３側に形成され、前面側が開放された凹所１０４に設置される。そして、流し台用小物入れ１は、平面形状が凹所１０４の底面１０５とほぼ同形状である本体枠２と、本体枠２内を複数の収容部に仕切る仕切枠３と、流し台用小物入れ１を凹所１０４に取り付ける取付手段である一対の取付枠４，４と、本体枠２の前面側に設けられ、例えば牛乳パック容器などの洗浄した空の紙パック容器などの被乾燥物２０を水切りする複数（ここでは２つ）の水切り用フック５とによって構成されている。なお、この実施の形態１に係る流し台用小物入れ１は、底面を有するものと底面を有しないものの両者を含むが、ここでは底面を有しないものを説明する。
【００２５】
本体枠２は、平面形状が凹所１０４の底面１０５とほぼ同形状で、凹所１０４内に収容される大きさになるように線材を屈曲させて環状に形成した上下一対の本体フレーム６，６と、本体フレーム６，６を所定の間隔で連結して補強する高さが所定の間隔とほぼ等しく、溶接により本体フレーム６，６に接続された連結杆７とからなっている。また、仕切枠３は、側面形状がほぼ矩形状で、高さが本体フレーム６，６の所定の間隔よりも若干高く、幅が取付位置の本体フレーム６，６の内幅と等しい一対の仕切フレーム８，８からなり、本体フレーム６，６の内側に溶接により接続することによって本体枠２内を複数の収容部に仕切るとともに、本体フレーム６，６を所定の間隔で連結し補強している。なお、この実施の形態１では、仕切枠３を一対の仕切フレーム８，８としたが、１個または３個以上の仕切フレーム８によって構成してもよく、連結杆７は省略してもよい。
【００２６】
一対の取付枠４，４は、線材をほぼ逆Ｕ字状に屈曲し、凹所１０４の内壁の高さとほぼ等しいかまたは若干低い位置から上部を流し台１００の上面１００ａ側にほぼ直角に屈曲して取付部９ａを形成し、取付部９ａより下部の取付フレーム９ｂを本体枠２の長手方向の端部または背面側に溶接により接続したものである。そして、取付手段であるねじ１０や係留具を含む取付具などにより各取付枠４の取付部９ａが流し台１００の上面１００ａにそれぞれ取り付けられ固定される。なお、この実施の形態１では、図３に示すように、各取付枠４の取付部９ａの高さ位置が異なる場合を示したが、これは凹所１０４が設けられた流し台１００（シンク１０１）の上面１００ａの形状に対応するもので、各取付部９の高さを等しくしてもよい。
【００２７】
水切り用フック５は、図１および図３に示すように、被乾燥物２０であるペットボトルの注ぎ口の内径より若干小さい間隔Ｇ３で線材をほぼ逆Ｕ字状に屈曲して上部側を若干前側に傾斜させ、下部側を後側にほぼ直角に屈曲して取付脚１１ａが形成された高さが本体枠２の本体フレーム６，６の間隔よりも低いほぼＬ字形の前側片である前側フレーム１１と、被乾燥物２０であるペットボトルの注ぎ口の内径より若干小さい間隔Ｇ３で線材をほぼ逆Ｕ字状に屈曲して上部側を若干後側に傾斜させ、下部側を後側にほぼ直角に屈曲して取付脚１２ａが形成された高さが前側フレーム１１より高いほぼＬ字形の後側片である後側フレーム１２とからなり、両者１１，１２の取付脚１１ａ，１２ａは、前側フレームの立設部１１ｂと後側フレーム１２の立設部１２ｂとの間に小間隙Ｇ１を有するように、本体枠２の下側に位置する本体フレーム６の前側に溶接により接続されている。そして、取付脚１１ａ，１２ａはそれぞれ平行な２本の線材で形成されているので、水切り用フック５に被乾燥物２０を挿入するときの応力が一箇所に集中するのを防止し、水切り用フック５の耐久性を高められる。
【００２８】
また、後側フレーム１２の取付脚１２ａは、接続された本体フレーム６の前側と後側フレーム１２との間に例えばプラスチックトレーなどの厚みのある被乾燥物２０が収容でき、かつペットボトルなどの肩部を有する被乾燥物２０が本体フレーム６に当接しても水切り用フック５に保持できる間隙Ｇ２を有する長さに形成されている。そして、後側フレーム１２の高さは、本体枠２内に収容されたスポンジや台所用洗剤等の小物類が容易に出し入れできるように、本体枠２の高さとほぼ等しく本体枠２から上方に突出しない高さに形成されている。
【００２９】
このように構成されたこの実施の形態１を使用する場合、まず、図４に示すように、流し台用小物入れ１の本体枠２を流し台１００のシンク１０１の凹所１０４に収容し、各取付枠４の取付部９ａをねじ１０により流し台１００の上面１００ａに取り付ける。そして、食器類や鍋等の洗浄等に使用されるスポンジ、たわしおよび台所用洗剤などの小物類を適当な収容部に収容する。このとき、流し台用小物入れ１には底面がないため、凹所１０４の底面１０５が流し台用小物入れ１の底面となり、小物類は凹所１０４の底面１０５に載置される。また、仕切枠３によって本体枠２内は仕切られているため、小物類は各収容部に整頓されて収容される。そして、凹所１０４の底面１０５は、シンク１０１の中央部に向かって緩やかに下るように傾斜しているため、凹所１０４に水が溜まりにくく衛生的であり、流し台用小物入れ１も凹所１０４から取り外すことができるため、凹所１０４および流し台用小物入れ１を簡単に洗浄することができる。
【００３０】
そして、このようにシンク１０１の凹所１０４に設置された流し台用小物入れ１を用いて、例えば牛乳パックなどの紙パック容器である被乾燥物２０の水切りを行う場合は、まず、注ぎ口のある上部を展開し、開口した上部から水を入れて洗う。洗浄後、水をよく切って逆さの状態にし、図５に示すように、開口した側の上端側をいずれか１つの水切り用フック５の前側フレーム１１および後側フレーム１２の立設部１１ｂ，１２ｂ間の小間隙Ｇ１に挿入し、被乾燥物２０の上端部が前側フレーム１１の取付脚１１ａにぶつかるまで押し進め、被乾燥物２０を水切り用フック５に設置する。
【００３１】
このとき、水切り用フック５の前側フレーム１１と後側フレーム１２の上部側は、それぞれ前側または後側に傾斜し、かつ高さが異なるように形成されているため、被乾燥物２０を前側フレーム１１と後側フレーム１２の間に挿入しやすい。また、前側フレーム１１の立設部１１ｂと後側フレーム１２の立設部１２ｂとの間には小間隙Ｇ１を有するが、その小間隙Ｇ１は例えば１ｍｍ程度と狭いので、肉薄の紙パック容器を挿入させた場合でも、前側フレーム１１の立設部１１ｂと後側フレーム１２の立設部１２ｂとが前側または後側に小間隙Ｇ１を押し広げるように挿入され、線材の弾性によって被乾燥物２０が挟持されて水切り用フック５から外れるのを防止して確実に設置される。また、濡れた状態の紙パック容器はすべりやすいため両立設部１１ｂ，１２ｂから外れやすい場合があるが、立設部１１ｂ，１２ｂは間隔Ｇ３（図１参照）を隔てた平行な２本の線材で形成されているので、被乾燥物２０を確実に挟持して両立設部１１ｂ，１２ｂから外れるのを防止する。
【００３２】
水切り用フック５に設置された被乾燥物２０は、その内側に残っている水が内壁をつたって開口した上部からシンク１０１内に流れ落ち、被乾燥物２０の水切りは完了する。
【００３３】
また、例えばペットボトルである被乾燥物２０の水切りを行う場合は、まず、注ぎ口から水を入れて洗い、洗浄後、水をよく切って逆さの状態にし、図６に示すように、注ぎ口をいずれか１つの水切り用フック５の前側フレーム１１および後側フレーム１２に挿入し、被乾燥物２０の本体上部（肩部など）が本体枠２（上方に位置する本体フレーム６）に当接するまで押し進め、被乾燥物２０を水切り用フック５に設置する。このとき、被乾燥物２０を前側に若干傾けて水切り用フック５に設置すれば、本体枠２の本体フレーム６，６と水切り用フック５の後側フレーム１２との間に間隙Ｇ２が設けられているため、より深く水切り用フック５が被乾燥物２０の本体内に挿入され、安定性よく設置される。また、被乾燥物２０の重さにより被乾燥物２０が前面側に傾いた場合でも、流し台用小物入れ１は、取付枠４，４によってねじ止めされているため、被乾燥物２０の荷重によってシンク１０１の凹所１０４から外れたりすることがなく、被乾燥物２０は安定性よく水切り用フック５に設置される。なお、ビンや缶などの被乾燥物２０を水切りする場合も同様に行う。
【００３４】
さらに、例えばプラスチックトレーである被乾燥物２０の水切りを行う場合は、まず、被乾燥物２０の表面を水で洗い、洗浄後、水をよく切って上面側または下面側が流し台用小物入れ１の本体枠２の前面側と平行で、長手方向が横方向になるように立たせた状態にし、図４に鎖線で示すように、被乾燥物２０の下側となる側面側を本体枠２の本体フレーム６，６と各水切り用フック５，５のそれぞれの後側フレーム１２との間の間隙Ｇ２に挿入し、被乾燥物２０の側面側の下側が各後側フレーム１２の取付脚１２ａにぶつかるまで押し進め、被乾燥物２０を設置する。このとき、被乾燥物２０は本体フレーム６，６と２つの水切り用フック５の間に安定性よく保持されて水切りされる。なお、被乾燥物２０の長手方向が縦方向になるように立たせた状態で、１つの水切り用フック５で保持させてもよい。この場合、本体枠２側に傾けさせれば被乾燥物２０が上部側の本体フレーム６に当接するため、安定性よく保持することができる。
【００３５】
このように、シンク１０１の凹所１０４に収容され、内部が仕切枠３によって複数の収容部に仕切られた流し台用小物入れ１の本体枠２に、本体枠２を凹所１０４に取り付ける一対の取付枠４，４と、本体枠２の前面側に設けられ被乾燥物２０の水切りをする複数の水切り用フック５とを設けたので、水切り用フック５に被乾燥物２０を設置すると、被乾燥物２０は本体枠２の前面側、つまりシンク１０１側に設置されることになり、被乾燥物２０を保持するスペースを十分に確保することができる。また、ビンなどの重い被乾燥物２０を設置し、被乾燥物２０がシンク１０１側に傾いた場合でも、本体枠２はねじ１０などの取付具により取付枠４，４を介して流し台１００の上面１００ａにしっかりと固定されているため、流し台用小物入れ１が凹所１０４から外れてシンク１０１に落ちたりするおそれがなく、被乾燥物２０の種類に関係なく安定性よく保持して確実に水切りを行うことができる。
【００３６】
さらに、水切り用フック５は、上部側が前側に傾斜した前側フレーム１１と、高さが前側フレーム１１より高く上部側が後側に傾斜した後側フレーム１２とによって構成され、前側フレーム１１の立設部１１ｂと後側フレーム１２の立設部１２ｂとの小間隙Ｇ１が狭く形成されているので、例えば肉薄の紙パック容器などの被乾燥物２０を前側フレーム１１と後側フレーム１２との間に挿入しやすく、両者１１，１２で挟持されて確実に保持することができる。また、水切り用フック５の後側フレーム１２と本体フレーム６，６の前面側との間は、例えばプラスチックトレーなどの厚みのある被乾燥物２０が収容でき、かつペットボトルなどの肩部を有する被乾燥物２０が本体フレーム６に当接しても水切り用フック５に保持できる間隙Ｇ２を有するため、軽量でかつ立たせた状態では不安定である被乾燥物２０を安定性よく保持できるとともに、今まで肩部などの本体上部が干渉して保持しにくかった被乾燥物２０も安定性よく保持することができ、いずれの被乾燥物２０も確実に水切りを行うことができる。
【００３７】
また、水切り用フック５は本体枠２の前面側に並設されているので、大きさの大きいプラスチックトレーである被乾燥物２０を水切りする場合は、２つの水切り用フック５を用いるができ、これにより、安定性よく保持して水切りを行うことができる。そして、水切り用フック５の高さは、本体枠２の高さとほぼ等しく本体枠２から上方に突出しないように形成されているので、本体枠２内に収容されたスポンジや台所用洗剤等の小物類の出し入れの際に邪魔にならない。
【００３８】
また、流し台用小物入れ１は線材で構成されているので、軽量で簡単に掃除がしやすく、また、取付枠４により流し台用小物入れ１を凹所１０４から取り外すことができるため、凹所１０４も含めて容易に掃除を行うことができる。さらに、線材は金属材料で構成されているため、ビンなどの重い被乾燥物２０を保持した場合でも流し台用小物入れ１の強度を保つことができるとともに、水切り用フック５の前側フレーム１１と後側フレーム１２の間の小間隙Ｇ１に被乾燥物２０を保持した場合は、金属材料の線材の弾性によって被乾燥物２０がしっかりと挟持され、水切り用フック５に確実に保持することができる。
【００３９】
実施の形態２．
図７は本発明の実施の形態２の構成説明図、図８はその側面図である。この実施の形態２は、実施の形態１に係る底面１０５を有する凹所１０４に代えて、シンク１０１の内底面を底面１０５とする凹所１０４、つまり流し台１００の上面１００ａからシンク１０１の内底面（底面１０５）に至る半柱状の凹所１０４に、流し台用小物入れ１を設置するものであり、この流し台用小物入れ１は底面を有するもので、本体枠２、取付枠４、支持枠２７および水切り用フック５により構成されている。
【００４０】
実施の形態２に係る水切り用フック５は、実施の形態１に係る流し台用小物入れ１において、水切り用フック５の後側フレーム１２を省略して前側フレーム１１のみで構成したもので、この水切り用フック５は、前側フレーム１１と本体枠２の前面側とで被乾燥物２０を水切り可能に保持する。そして、水切り用フック５の前側フレーム１１の取付脚１１ａは、本体枠２の底面を形成するように本体枠２の後方まで延びて本体枠２の底部に溶接により接続されており、前側フレーム１１の立設部１１ｂは、そのほぼ中間部から下側が本体枠２の前面側とほぼ同一平面上に位置するように立設され、上側が前側に傾斜されている。また、前側フレーム１１の高さは、本体枠２内に収容されたスポンジや台所用洗剤等の小物類が容易に出し入れできるように、本体枠２の高さより低く形成されている。
【００４１】
実施の形態２に係る本体枠２は、左右両側に位置する線材を屈曲させた幅狭の第１のＵ字部材２１，２１と、その間に位置する線材を屈曲させた幅広の第２のＵ字部材２２，２２とを備え、第１のＵ字部材２１，２１の両前端は、これと一体の線材からなり本体枠２の前面の上縁部を形成する直線部材２３によって連結されており、第２のＵ字部材２２，２２の両前端は溶接により直線部材２３に接続されている。また、４つのＵ字部材２１，２１，２２，２２は、１本の長い第１の線フレーム２４によって横方向に一体的に連結され、第２のＵ字部材２２，２２は、２本の短い第２の線フレーム２５，２５によって連結されており、第２のＵ字部材２２，２２の間には、線材をほぼＬ字状に屈曲させた一対の連結フレーム２６，２６が、所定の間隔を隔てて直線部材２３、第１の線フレーム２４および第２の線フレーム２５，２５に溶接により接続されている。そして、第１のＵ字部材２１，２１、第２のＵ字部材２２，２２、直線部材２３、第１の線フレーム２４、第２の線フレーム２５，２５および連結フレーム２６，２６により、本体枠２の前面および底面が形成される。なお、本体枠２の前面は、シンク１０１の奥側内壁１０３とほぼ同一平面上かまたは若干凹所１０４内に位置している。
【００４２】
支持枠２７は、第１のＵ字部材２１，２１の両後端にこれと一体に連結された線材からなる弓形の連結部材２８と、第２のＵ字部材２２，２２の両後端にこれと一体に連結されかつ連結部材２８に溶接により接続された線材からなる棒部材２９，２９とを備えており、連結部材２８のほぼ直線部分からその直線部分の軸方向に延びるように線材をほぼ長円状に屈曲させた取付枠４が溶接により接続されている。そして、流し台用小物入れ１を凹所１０４に設置した際、流し台１００の上面１００ａのシンク１０１側の縁部に設けられた段差部１００ｂに支持枠２７が載置され、流し台用小物入れ１を支持する。なお、連結部材２８の弓形の形状は、凹所１０４の壁面にほぼ沿った形状である。
【００４３】
このように構成された実施の形態２を使用する場合、実施の形態１で説明した場合と同様に、流し台用小物入れ１の本体枠２を流し台１００のシンク１０１の凹所１０４に収容し、かつ支持枠２７を流し台１００の段差部１００ｂに載置して、各取付枠４の取付部９ａをねじ１０により流し台１００の上面１００ａに取り付ける。そして、スポンジおよび台所用洗剤などの小物類を適当に収容する。このとき、流し台用小物入れ１は、各水切り用フック５の前側フレーム１１の取付脚１１ａ，１１ａ、第２のＵ字部材２２，２２、第１の線フレーム２４、第２の線フレーム２５，２５および連結フレーム２６，２６により本体枠２の底面が形成されるため、前側フレーム１１の取付脚１１ａ，１１ａ等に小物類が載置され、本体枠２の底面と凹所１０４の底面１０５との間に空間を有しても小物類が底面（シンク１０１の内底面）に落下するおそれはない。
【００４４】
ついで、このようにシンク１０１の凹所１０４に設置された流し台用小物入れ１を用いて、例えば牛乳パックなどの紙パック容器である被乾燥物２０の水切りを行う場合は、まず、注ぎ口のある上部を展開して洗浄した後、水をよく切って逆さの状態にし、図７の一点鎖線で示すように、開口した側の上端側をいずれか１つの水切り用フック５の前側フレーム１１と本体枠２の前面側を形成する第２のＵ字部材２２および連結フレーム２６との間に挿入し、被乾燥物２０の上端部が前側フレーム１１の取付脚１１ａにぶつかるまで押し進め、被乾燥物２０を水切り用フック５と本体枠２の前面側との間に設置する。
【００４５】
このとき、水切り用フック５の前側フレーム１１の立設部１１ｂのほぼ中間部から上側は、前側に傾斜されているため、被乾燥物２０を前側フレーム１１と本体枠２の前面側との間に挿入しやすい。また、前側フレーム１１の立設部１１ｂのほぼ中間部から下側と本体枠２の前面側とはほぼ同一平面上にあるため、前側フレーム１１の立設部１１ｂと第２のＵ字部材２２および連結フレーム２６とによる線材間の空間に、肉薄の紙パック容器を挿入させることとなり、紙パック容器の挿入面が円弧状態で挟まれて、第２のＵ字部材２２および連結フレーム２６の弾性回復力によって被乾燥物２０が挟持され、水切り用フック５から外れるのを防止して確実に設置する。また、濡れた状態の紙パック容器はすべりやすいため挟持した第２のＵ字部材２２と連結フレーム２６との間から外れやすい場合があるが、前側フレーム１１の立設部１１ｂ，１２ｂは間隔Ｇ３（図１参照）を隔てた平行な２本の線材で形成されているので、被乾燥物２０を確実に挟持して第２のＵ字部材２２と連結フレーム２６との間から外れるのを防止する。さらに、紙パック容器と本体枠２の前面との接触面積が大きいので、挟持方向と直交する方向への倒れも防止する。
【００４６】
そして、水切り用フック５に設置された被乾燥物２０は、その内側に残っている水が内壁をつたって開口した上部からシンク１０１内に流れ落ち、被乾燥物２０の水切りは完了する。なお、この実施の形態２では、図９に示すように、水切り用フック５を１本の線材で形成された立設部１１ｂと取付脚１１ａとからなるＬ字形に屈曲させた前側フレーム１１としてもよく、この場合も同様の効果が得られる。
【００４７】
また、例えばペットボトルである被乾燥物２０の水切りを行う場合は、洗浄して水をよく切り逆さ状態にした後、注ぎ口をいずれか１つの水切り用フック５の前側フレーム１１の上部に挿入し、被乾燥物２０の本体上部（肩部など）あるいは注ぎ口の上端部が本体枠２の前面側に当接するまで押し進め、被乾燥物２０を水切り用フック５に設置する。このとき、前側フレーム１１の立設部１１ｂのほぼ中間部から上側が前側に傾斜し、かつ第２のＵ字部材２２と連結フレーム２６との間隙Ｇ４（図７参照）によって被乾燥物２０の肩部との干渉が回避できるので、立設部１１ｂの上側が被乾燥物２０の上部（注ぎ口および本体上部）内にしっかりと挿入され、被乾燥物２０は若干前側に傾いた状態で設置される。また、被乾燥物２０が重い場合でも、流し台用小物入れ１は、支持枠２７によって流し台１００の段差部１００ｂに支持され、かつ流し台１００の上面１００ａに取付枠４，４によってねじ止めされているため、被乾燥物２０の荷重によってシンク１０１の凹所１０４から外れたりすることがなく、被乾燥物２０は安定性よく水切り用フック５に設置される。なお、ビンや缶などの被乾燥物２０を水切りする場合も同様に行う。
【００４８】
さらに、図８に示すように、本体枠２の前面がシンク１０１の奥側内壁１０３（１０３Ａ）と同一平面上に位置するように流し台１００に取り付けられていた流し台用小物入れ１を、第１のＵ字部材２１，２１がシンク１０１の奥側内壁１０３（１０３Ｂ）より前側に位置するように流し台１００に取り付けられるようにすると、プラスチックトレーである被乾燥物２０の水切りを行う場合、被乾燥物２０の長手方向が横方向になるように立たせた状態して第１のＵ字部材２１，２１に挿入され保持される。このとき、第１のＵ字部材２１，２１がシンク１０１の奥側内壁１０３（１０３Ｂ）より前側に位置しているので、被乾燥物２０の長手方向が凹所１０４の幅より長い場合でも第１のＵ字部材２１，２１に安定性よく保持されて水切りされる。また、流し台用小物入れ１は、支持枠２７によって流し台１００の段差部１００ｂに支持され、かつ流し台１００の上面１００ａに取付枠４，４によってねじ止めされているため、まな板などの重いものでも第１のＵ字部材２１，２１に安定性よく保持することができる。
【００４９】
このように、流し台用小物入れ１を、シンク１０１の凹所１０４に収容される本体枠２と、流し台用小物入れ１を凹所１０４に取り付ける一対の取付枠４，４と、流し台用小物入れ１を凹所１０４に支持する支持枠２７と、本体枠２の前面側に設けられ被乾燥物２０の水切りをする複数の水切り用フック５とにより構成したので、水切り用フック５に被乾燥物２０を設置すると、被乾燥物２０は本体枠２の前面側に設置されることになり、被乾燥物２０を保持するスペースを十分に確保することができる。また、ビンなどの重い被乾燥物２０を設置し、被乾燥物２０がシンク１０１側に傾いた場合でも、流し台用小物入れ１は、支持枠２７によって流し台１００の段差部１００ｂに支持され、かつねじ１０などの取付具により取付枠４，４を介して流し台１００の上面１００ａにしっかりと固定されているため、流し台用小物入れ１が凹所１０４から外れてシンク１０１に落ちたりするおそれがなく、被乾燥物２０の種類に関係なく安定性よく保持して確実に水切りを行うことができる。さらに、取付枠４により流し台用小物入れ１を凹所１０４から取り外すことができるため、凹所１０４も含めて容易に掃除を行うことができる。
【００５０】
また、水切り用フック５は、取付脚１１ａと立設部１１ｂとからなる前側フレーム１１によって構成され、立設部１１ｂのほぼ中間部から上側は前側に傾斜し、立設部１１ｂのほぼ中間部から下側は本体枠２の前面側とほぼ同一平面上に立設されるように形成されているので、例えば肉薄の紙パック容器などの被乾燥物２０を前側フレーム１１と本体枠２の前面側で挟持されて確実に保持することができる。さらに、前側フレーム１１の立設部１１ｂのほぼ中間部から上側は前側に傾斜し、かつ第２のＵ字部材２２と連結フレーム２６との間隙Ｇ４（図７参照）によって被乾燥物２０の肩部との干渉が回避できるので、今まで肩部などが干渉して保持しにくかった被乾燥物２０内により深く挿入させることができて被乾燥物２０を安定性よく保持でき、被乾燥物２０の水切りを確実に行うことができる。そして、水切り用フック５の高さは、本体枠２の高さより低く形成されているので、本体枠２内に収容されたスポンジや台所用洗剤等の小物類の出し入れの際に邪魔にならない。
【００５１】
さらに、流し台用小物入れ１は、本体枠２の底面を各水切り用フック５の前側フレーム１１の取付脚１１ａ，１１ａ、第２のＵ字部材２２，２２、第１の線フレーム２４、第２の線フレーム２５，２５および連結フレーム２６，２６によって形成しているため、底面１０５がシンク１０１の内底面である凹所１０４に設置しても小物類を流し台用小物入れ１内に収容することができ、使い勝手よい流し台用小物入れ１を得ることができる。
【００５２】
実施の形態３．
図１０は本発明の実施の形態３の構成説明図である。この実施の形態３は、実施の形態２に係る流し台用小物入れ１において、本体枠２の前面側に設けた水切り用フック５とは別に、係止片３１，３１が前面両側に位置する水切り用フック５Ａを設けたもので、図１１に示すように、水切り用フック５Ａの係止片３１と本体枠２の第１のＵ字部材２１とシンク１０１の内壁１０３との間隔がほぼ等しくなるようにそれぞれが配設されており、水切り用フック５Ａは、例えば紙パック容器である被乾燥物２０を、挿入された係止片３１が被乾燥物２０の角部に位置した状態で第１のＵ字部材２１と内壁１０３とで水切り可能に保持する。
【００５３】
そして、水切り用フック５Ａは、線材からなり、本体枠２の長手方向とほぼ同じ長さか若干長く、本体枠２の第１のＵ字部材２１，２１、第２のＵ字部材２２，２２、水切り用フック５の前側フレーム１１の取付脚１１ａ，１１ａおよび連結フレーム２６，２６の底部に溶接により接続されて本体枠２の底面を形成する水平部３０と、水平部３０の両端部から延出されて上方に屈曲されかつ両先端部がさらに外方側に傾斜された係止片３１，３１とから構成されている。
【００５４】
このように構成したことにより、実施の形態２とほぼ同じ作用および効果が得られるとともに、水切り用フック５Ａに紙パック容器である被乾燥物２０（図１０の左側の被乾燥物２０）の水切りを行う場合は、図１１に示すように、被乾燥物２０内に挿入された水切り用フック５Ａの係止片３１が被乾燥物２０の角部に位置した状態となり、被乾燥物２０の側面２０ａが第１のＵ字部材２１とシンク１０１の内壁１０３とにそれぞれ当接して保持されるので、被乾燥物２０を簡単にかつ安定性よく保持することができ、被乾燥物２０の水切りを確実に行うことができる。また、水切り用フック５Ａの係止片３１の先端部は外方に傾斜されているので、被乾燥物２０を係止片３１と第１のＵ字部材２１との間に挿入しやすい。さらに、水切り用フック５Ａに被乾燥物２０を設置すると、流し台用小物入れ１の前面側が開放されてスポンジや台所用洗剤等の小物類の出し入れを容易にすることができる。
【００５５】
また、例えばペットボトルである被乾燥物２０（図１０の右側の被乾燥物２０）の水切りを行う場合も同様に被乾燥物２０内に挿入された水切り用フック５Ａの係止片３１が被乾燥物２０の一部に位置した状態となり、被乾燥物２０の側面２０ｂが第１のＵ字部材２１とシンク１０１の内壁１０３とにそれぞれ当接して保持されので、被乾燥物２０を簡単にかつ安定性よく保持することができ、被乾燥物２０の水切りを確実に行うことができる。なお、ビンや缶もなどの被乾燥物２０も同様である。
【００５６】
なお、上述の実施の形態１乃至３では、取付枠４，４を一対とし、２ヶ所で本体枠２を凹所１０４に固定する場合を示したが、本体枠２の背面側（背後側）のほぼ中央に１ヶ所設けて固定するようにしてもよい。また、ねじ１０により固定するようにしたが、流し台１００の上面１００ａに棒状のピンを設けて取付枠４の取付部９ａをひっかけるようにしたり、ねじの上部に溝部を設けてその溝部に取付枠４の取付部９ａをひっかけるなど、着脱自在に構成してもよい。この場合、流し台用小物入れ１の凹所１０４への取り付けおよび取り外しが容易となり、流し台用小物入れ１および凹所１０４の清掃性を高めることができる。
【００５７】
また、上述の実施の形態１では、本体枠２の平面形状を凹所１０４の底面１０５とほぼ同形状に形成し、２つの水切り用フック５を本体枠２の前面側に設けた場合を示したが、本体枠２は凹所１０４内に収容される形状であればよく、水切り用フック５は１つまたは３つ以上設けてもよい。そして、水切り用フック５を本体枠２の側面側に設けてもよい。この場合、本体枠２を小さく形成し、凹所１０４の内壁１０３との間に被乾燥物２０が保持できるスペースを設ける。また、実施の形態２または３も、水切り用フック５を１つまたは３つ以上設けてもよい。
【００５８】
さらに、上述の実施の形態１では、本体枠２を線材を屈曲させて環状に形成した上下一対の本体フレーム６，６を有する場合を示したが、帯材を屈曲させて環状に形成した本体フレームとしてもよい。この場合、連結杆７は省略されるとともに、同様の効果を奏する。また、水切り用フック５の前側フレーム１１および後側フレーム１２も帯材を屈曲させて形成してもよい。
【００５９】
また、上述の実施の形態１乃至３では、凹所１０４をシンク１０１の奥側の右側に設けた場合を示したが、シンク１０１の奥側の左側に設けてもよく、奥側隅部あるいは奥側中央部に設けてもよい。これらの場合、流し台用小物入れ１の本体枠２の形状は奥側の左側、奥側隅部または奥側中央部に設けた凹所の形状に対応させる。
【００６０】
さらに、上述の実施の形態１では、流し台用小物入れ１において底面を有しない場合を示したが、底面を有するものに本発明を実施してもよい。この場合も同様の効果を奏する。
【００６１】
【発明の効果】
以上のように本発明に係る流し台用小物入れは、流し台のシンクの奥側または奥側隅部に設けた凹所に配置される本体枠と、本体枠を流し台に固定する取付手段と、本体枠に設けられ被乾燥物を水切り可能に保持する水切り用フックとを備えたので、流し台のシンクの凹所に確実に設置できて洗浄時に邪魔にならず、被乾燥物の種類に関係なく安定性よく保持して確実に水切りを行うことができる流し台用小物入れを得ることができる。また、底面を有しないものは、水溜まりができず、衛生的である。
【図面の簡単な説明】
【図１】本発明の実施の形態１の斜視図である。
【図２】図１の平面図である。
【図３】図１の右側面図である。
【図４】本発明の実施の形態１の作用説明図である。
【図５】本発明の実施の形態１の要部の作用説明図である。
【図６】本発明の実施の形態１の要部の作用説明図である。
【図７】本発明の実施の形態２の構成説明図である。
【図８】本発明の実施の形態２の側面図である。
【図９】本発明の実施の形態２に係る水切り用フックの変形例を示す図である。
【図１０】本発明の実施の形態３の構成説明図である。
【図１１】本発明の実施の形態３の要部の平面で示した作用説明図である。
【図１２】従来の流し台用小物入れの構成および作用説明図である。
【符号の説明】
１　流し台用小物入れ
２　本体枠
３　仕切枠
４　取付枠
５，５Ａ　水切り用フック
６　本体フレーム
９ａ　取付部
１０　ねじ
１１　前側フレーム
１２　後側フレーム
１１ｂ，１２ｂ　立設部
２０　被乾燥物
３０　水平部
３１　係止片
１００　流し台
１０１　シンク
１０４　凹所
１０５　底面
Ｇ１　小間隙
Ｇ２　間隙
【図１】
2004121807.tif 000003
【図２】
2004121807.tif 000004
【図３】
2004121807.tif 000005
【図４】
2004121807.tif 000006
【図５】
2004121807.tif 000007
【図６】
2004121807.tif 000008
【図７】
2004121807.tif 000009
【図８】
2004121807.tif 000010
【図９】
2004121807.tif 000011
【図１０】
2004121807.tif 000012
【図１１】
2004121807.tif 000013
【図１２】
2004121807.tif 000014